(57)【要約】【課題】分級対象物が凝集性のある湿潤物であっても、乾燥させたり水を噴射したりすることなく、効率よく分級することが可能で小型且つ耐久性を備えたスクリーン機構を提供する。【解決手段】スクリーン機構１３は、分級対象物の搬送方向と交差する方向に配された複数本の交差側ロープ１４Ａ１，１４Ａ２と、前記交差側ロープ１４Ａ１，１４Ａ２と平面視で交差するように配置され前記交差側ロープ１４Ａ１，１４Ａ２との間で所定の目開きの篩面を構成する複数本の流れ側ロープ１４Ｂとを備え、前記交差側ロープ１４Ａ１，１４Ａ２の少なくとも１本が分級対象物を一時滞留させる堰として機能するように前記流れ側ロープ１４Ｂの上側に配されている。【選択図】図３
2020065948.tif 000002
【特許請求の範囲】
【請求項１】
分級対象物の搬送方向と交差する方向に配された複数本の交差側ロープと、前記交差側ロープと平面視で交差するように配置され前記交差側ロープとの間で所定の目開きの篩面を構成する複数本の流れ側ロープとを備え、前記交差側ロープの少なくとも１本が分級対象物を一時滞留させる堰として機能するように前記流れ側ロープの上側に配されているスクリーン機構。
【請求項２】
前記堰として機能する交差側ロープは、前記流れ側ロープの頂部包絡面を基準として上下方向高さが分級対象物の分級平均径以上に設定されている請求項１記載のスクリーン機構。
【請求項３】
前記堰として機能する交差側ロープが複数本配置され、分級対象物の搬送方向に沿って下流側ほど前記堰として機能する交差側ロープ間の間隔が狭くなるように設定されている請求項１または２記載のスクリーン機構。
【請求項４】
前記堰として機能する交差側ロープが複数本配置され、分級対象物の搬送方向に沿って下流側ほど前記流れ側ロープの頂部包絡面を基準とする上下方向高さが低くなるように設定されている請求項１から３の何れかに記載のスクリーン機構。
【請求項５】
請求項１から４の何れかに記載されたスクリーン機構と、前記スクリーン機構を振動させる加振機構とを備え、前記スクリーン機構に投入された分級対象物を前記搬送方向に搬送しながら分級する振動篩装置。
【請求項６】
所定の目開きの篩面が形成されたスクリーン機構を振動させて、投入された分級対象物を搬送しながら分級する振動篩方法であって、
前記スクリーン機構として、分級対象物の搬送方向と交差する方向に配された複数本の交差側ロープと、前記交差側ロープと平面視で交差するように配置され前記交差側ロープとの間で所定の目開きの篩面を構成する複数本の流れ側ロープとを備え、前記交差側ロープの一部が分級対象物を一時滞留させる堰として機能するように前記流れ側ロープの上側に配されたスクリーン機構を用いて、
前記篩面の上流側から分級対象物を投入し、前記堰として機能する交差側ロープで一時滞留させながら分級し、当該交差側ロープを飛び越えた分級対象物を次の堰として機能する交差側ロープで一時滞留させながら分級する処理を繰り返す振動篩方法。
【発明の詳細な説明】
【技術分野】
【０００１】
本発明は、所定の目開きの篩面が形成されたスクリーン機構、前記スクリーン機構を備えた振動篩装置及び振動篩方法に関する。
【背景技術】
【０００２】
ゴミ焼却炉から排出される焼却灰は、減容化、無害化のため、灰溶融炉に投入されて溶融処理され、水槽に落下した溶融スラグが水砕スラグとして排出される。このような水砕スラグはコンクリート骨材やアスファルト骨材として再利用されるが、用途に応じて粒度分布が規定されているため、目的に応じて分級処理する必要がある。例えば、アスファルト用骨材として再利用する場合には、ＪＩＳＡ５０３２  ＦＭ２．５により４．７５ｍｍの篩を通るものの質量百分率を１００％にする必要がある。
【０００３】
しかし、分級対象物が水砕スラグのように親水性を示し、付着水の表面張力によって凝集性または付着性、若しくは、その双方の性質を併せ持つ性状を備えたものである場合に、篩面が形成されたスクリーン機構と、前記スクリーン機構を振動させる加振機構とを備え、前記スクリーン機構に投入された分級対象物を搬送しながら分級する振動篩装置を利用して分級するのは困難であった。
【０００４】
図１に示すように、水砕スラグのような水分が付着している分級対象物Ｐが篩面１４上で加振されると、細粒のスラグ同士が水を介して凝集して塊状に成長したり、粗粒スラグの周囲に付着して塊状になるような凝集現象が発生し、塊状に成長した粒子は分級される間も無く篩面上を滑るように走るため、十分に分級できないという問題があったためである。
【０００５】
特許文献１には、そのような問題に対処可能な振動篩装置の一例として、篩面が形成されたスクリーン機構と、前記スクリーン機構を振動させる加振機構とを備え、前記スクリーン機構に投入された分級対象物を搬送しながら分級する振動篩装置であって、前記スクリーン機構に設けられた篩面を分級対象物の搬送方向に沿って複数の分級領域に区画するとともに分級対象物を一時滞留させる複数の堰を、前記篩面の上部に搬送方向に交差する姿勢で配置している振動篩装置が提案されている。
【０００６】
当該振動篩装置によれば、加振により篩面上で搬送される湿潤の分級対象物が水を介して互いに付着して凝集しても、堰の上流側で一時的に滞留させて、滞留中に、凝集した対象物とロープ、及び／または、凝集物同士による接触または衝突頻度を上昇させることにより凝集前の状態に分散されて分級が進むようになる。複数の堰を設けることにより、このような滞留、分散、分級処理が繰り返され、篩面の長さを長くしなくとも効率的に分級されるようになる。
【先行技術文献】
【特許文献】
【０００７】
【特許文献１】特開２００８−１３６８９３号公報
【発明の概要】
【発明が解決しようとする課題】
【０００８】
しかし、従来のスクリーン機構では、所望の目開きの篩を構成するロープの径が細く、そのような篩面に加振耐力を備えた堰を一体化して設けると、堰の重量による慣性力が働くために、細いロープとの固定箇所に働く力が大きく破断してしまうため、耐久的に問題があり、堰を設けた部位と他の部位で加振機構による振動状態が変り、篩面から堰が離脱する虞があった。また、搬送方向への篩面の長さをさらに短くして一層の小型化を図りたいとの要望もあった。
【０００９】
本発明の目的は、上述した従来の問題点に鑑みて、分級対象物が凝集性のある湿潤物であっても、乾燥させたり水を噴射したりすることなく、効率よく分級することが可能で小型且つ耐久性を備えたスクリーン機構、振動篩装置及び振動篩方法を提供する点にある。
【課題を解決するための手段】
【００１０】
上述の目的を達成するため、本発明によるスクリーン機構の特徴構成は、特許請求の範囲の書類の請求項１に記載した通り、分級対象物の搬送方向と交差する方向に配された複数本の交差側ロープと、前記交差側ロープと平面視で交差するように配置され前記交差側ロープとの間で所定の目開きの篩面を構成する複数本の流れ側ロープとを備え、前記交差側ロープの少なくとも１本が分級対象物を一時滞留させる堰として機能するように前記流れ側ロープの上側に配されている点にある。
【００１１】
分級対象物の搬送方向と交差する方向に配された複数本の交差側ロープと、交差側ロープと平面視で交差するように配置された複数本の流れ側ロープとで所定の目開きの篩面が形成される。そして、流れ側ロープの上側に突設させた状態で設ける少なくとも１本の交差側ロープが分級対象物を一時滞留させる堰として機能するようになる。例えば、分級対象物が水砕スラグのような凝集物であっても、凝集した分級対象物と流れ側ロープの上側に配置された交差側ロープ、及び／または、凝集した分級対象物同士による接触または衝突により凝集前の状態に分散させて対応する篩面から効率的に分級落下させることができるようになる。
【００１２】
同第二の特徴構成は、同請求項２に記載した通り、上述の第一の特徴構成に加えて、前記堰として機能する交差側ロープは、前記流れ側ロープの頂部包絡面を基準として上下方向高さが分級対象物の分級平均径以上に設定されている点にある。
【００１３】
流れ側ロープの頂部を基準とする篩面上で堰として機能する交差側ロープの上下方向高さを分級対象物の分級平均径以上に設定することにより、分級対象物をせき止めて分級作用を促す堰として良好に機能するようになる。
【００１４】
同第三の特徴構成は、同請求項３に記載した通り、上述の第一または第二の特徴構成に加えて、前記堰として機能する交差側ロープが複数本配置され、分級対象物の搬送方向に沿って下流側ほど前記堰として機能する交差側ロープ間の間隔が狭くなるように設定されている点にある。
【００１５】
上流側から下流側に搬送されるに連れて分級処理が進み、下流側ほど分級対象物の容積が少なくなる。そこで、分級対象物の搬送方向に沿って下流側ほど堰として機能する交差側ロープ間の間隔が短くなるように配置すれば、搬送方向長さが短い篩面であっても、篩面全体を有効に利用して効率的に分級することができ、装置の小型化が可能になる。
【００１６】
同第四の特徴構成は、同請求項４に記載した通り、上述の第一から第三の何れかの特徴構成に加えて、前記堰として機能する交差側ロープが複数本配置され、分級対象物の搬送方向に沿って下流側ほど前記流れ側ロープの頂部包絡面を基準とする上下方向高さが低くなるように設定されている点にある。
【００１７】
分級が進んで分級対象物の塊状のサイズが小さくなる下流側で、堰として機能する交差側ロープの高さが上流側の堰として機能する交差側ロープの高さと同じであると、分級対象物が飛び跳ねて堰として機能する交差側ロープの下流側へ搬送される効率が低下する虞があるが、分級対象物の搬送方向に沿って下流側ほど堰として機能する交差側ロープの上下方向高さが低くなるように設定されていれば、上流側から下流側にかけて搬送面全域で効率的に分級できるようになる。
【００１８】
本発明による振動篩装置の第一の特徴構成は、同請求項５に記載した通り、第一から第四の何れかの特徴構成を備えたスクリーン機構と、前記スクリーン機構を振動させる加振機構とを備え、前記スクリーン機構に投入された分級対象物を前記搬送方向に搬送しながら分級する点にある。
【００１９】
流れ側ロープの上側に交差側ロープが配置されたスクリーン機構を用いると、流れ側ロープの上方に突設された交差側ロープが分級対象物の搬送方向に対向して分級対象物を一時滞留させる堰として機能する。例えば、分級対象物が水砕スラグのような凝集物であっても、凝集した分級対象物と交差側ロープ、及び／または、凝集した分級対象物同士による接触または衝突により凝集前の状態に分散させて対応する篩面から効率的に分級落下させることができるようになる。この様な交差側ロープと流れ側ロープにより篩面が形成されているので、加振機構により加振されても安定した振動状態が実現でき、小型で耐久性のある振動篩装置が実現できる。
【００２０】
本発明による振動篩方法の特徴構成は、同請求項６に記載した通り、所定の目開きの篩面が形成されたスクリーン機構を振動させて、投入された分級対象物を搬送しながら分級する振動篩方法であって、前記スクリーン機構として、分級対象物の搬送方向と交差する方向に配された複数本の交差側ロープと、前記交差側ロープと平面視で交差するように配置され前記交差側ロープとの間で所定の目開きの篩面を構成する複数本の流れ側ロープとを備え、前記交差側ロープの一部が分級対象物を一時滞留させる堰として機能するように前記流れ側ロープの上側に配されたスクリーン機構を用いて、前記篩面の上流側から分級対象物を投入し、前記堰として機能する交差側ロープで一時滞留させながら分級し、当該交差側ロープを飛び越えた分級対象物を次の堰として機能する交差側ロープで一時滞留させながら分級する処理を繰り返す点にある。
【発明の効果】
【００２１】
以上説明した通り、本発明によれば、分級対象物が凝集性のある湿潤物であっても、乾燥させたり水を噴射したりすることなく、効率よく分級することが可能で小型且つ耐久性を備えたスクリーン機構、振動篩装置及び振動篩方法を提供することができるようになった。
【図面の簡単な説明】
【００２２】
【図１】湿潤の分級対象物が塊状に成長する過程の説明図
【図２】（ａ）は本発明による振動篩装置を側面から見た説明図、（ｂ）は振動篩装置を正面から見た説明図
【図３】スクリーン機構の要部説明図
【図４】（ａ）は交差側ロープと流れ側ロープの配置関係の複数の態様を示す説明図、（ｂ）は堰の高さ及び設置幅の一例を示す説明図
【図５】（ａ）〜（ｃ）は交差側ロープと流れ側ロープの配置関係の複数の態様を示す説明図
【発明を実施するための形態】
【００２３】
以下に、分級対象物が焼却灰等の廃棄物を溶融処理して得られた水砕スラグである場合を例に、本発明によるスクリーン機構、振動篩装置及び振動篩方法を説明する。なお、本発明によるスクリーン機構、振動篩装置及び振動篩方法は水砕スラグのみならず、粒状の薬品、土砂、焼却灰など湿潤状態の分級対象物に水を噴射することなく搬送しながら分級する必要がある任意の分級対象物に適用できる。
【００２４】
[振動篩装置の全体構成]
図２に示すように、振動篩装置１０は、機台１１にバネ機構１２を介して支持されたスクリーン機構１３と、スクリーン機構１３を図中一点鎖線で示す矢印の方向に加振する加振機構１８を備えて構成されている。
【００２５】
スクリーン機構１３は、６ｍｍの分級孔（篩目）が形成された篩としてのウレタン樹脂製のメッシュでなるスクリーンＳで構成される篩面１４と、篩面１４に水砕スラグＰを投入する投入部１５と、篩面１４を通過した篩下産物（細粒スラグ）を回収する第一回収部１６と、篩面１４を通過しない大径の篩上産物（粗粒スラグ）を回収する第二回収部１７を備えて構成され、篩面１４の上部は粉塵の飛散を防止するカバー体１９で覆われている。
【００２６】
後に詳述するように、スクリーン機構１３は、水砕スラグの搬送方向と交差する方向に配された複数本の交差側ロープと、水砕スラグの搬送方向に沿う方向に配された複数本の流れ側ロープとで篩面１４が形成されている。
【００２７】
なお、分級孔（篩目）のサイズは分級対象物に応じて適宜適切なサイズに設定されるものであり、篩面１４は水平姿勢となるように設置してもよいし、本実施形態のように搬送方向下流側が上方に傾斜する姿勢で設置してもよいし、逆に搬送方向下流側が下方に傾斜する姿勢で設置してもよい。また、篩の振動方式はバランス式に限らず、強制振動式の振動篩でも同じ効果が得られるため、強制振動式であってもよい。
【００２８】
含水量が２〜２０％で数ｍｍから十数ｍｍの範囲でその径が分布する水砕スラグＰは、投入部１５から投入され、振動モータやクランク式モータ等で構成される加振機構１８による加振力で振動する篩面１４上で加振方向に沿って振動しながら第二回収部１７に向けて分級されながら搬送される。
【００２９】
篩面１４を、水砕スラグＰの搬送方向に沿って複数の分級領域Ｒｎ（ｎ＝１，２，・・・）に区画するとともに、搬送方向に沿って配された複数本の交差側ロープの一部が、水砕スラグＰをその上流側で一時滞留させる堰１として機能するように構成されている。当該交差側ロープの一部を第２交差側ロープと称する。第２交差側ロープは、スクリーンＳと一体に形成されたウレタン樹脂で構成され、区画される分級領域の面積が搬送方向下流側ほど小さくなる間隔で、篩面１４の上部に搬送方向に直交する姿勢で配置されている。
【００３０】
第２交差側ロープにより区画された上流側の分級領域Ｒ１，Ｒ２の搬送方向中央部には、上方に設けられた支持アームに吊下げ支持されたゴム板でなるガイド部材２が配置され、篩面１４上で下流側に搬送される水砕スラグＰの量を調整可能に構成されている。第２交差側ロープに多量の水砕スラグＰが一時に搬送されると、分散処理がされないまま第２交差側ロープを乗越えてしまうという不都合を回避すべく、篩面１４からガイド部材２の下端縁までの高さが第２交差側ロープの高さを挟んで僅かに上方または下方に位置するように設定されている。
【００３１】
各第２交差側ロープの上流側に形成される水砕スラグＰの滞留領域Ｒは下流側ほど小さくなるように設定されている。上流側から下流側に搬送されるにつれて分級処理が進み、下流側ほど分級対象物の容積が少なくなるため、このように第２交差側ロープを配置すれば、搬送方向長さが短い篩面であっても、篩面を有効に利用して効率的に分級することができ、装置の小型化が可能になる。
【００３２】
篩面１４に投入された水砕スラグＰは、振動により細粒のスラグ同士が水を介して凝集して塊状に成長し、或いは粗粒のスラグの周囲に付着して塊状に成長しながら最上流側の第２交差側ロープに到達し、そこで一時滞留される。このとき、滞留した凝集物と網または凝集物同士が接触または衝突して徐々に凝集前の状態に分散され、細粒のスラグが篩面１４から下方に落下する。第２交差側ロープを飛び越えて下流側に搬送された水砕スラグＰは下流側に設置された次の第２交差側ロープに到達して一時滞留され、上述と同様に分散されながら分級される。このような分散分級処理が繰り返されることにより効率的に分級される。
【００３３】
本実施形態では、上流側から下流側に向けて間隔が次第に狭くなるように、篩の加振機構の振動幅１６ｍｍに対して篩面１４からの高さがその半分よりやや低めの７ｍｍ程度の高さの複数の第２交差側ロープを配置してあり、ある程度の粒径の水砕スラグは振動により第２交差側ロープを飛び越えて下流側に搬送されるように構成されている。第２交差側ロープの間隔は上流側で１００〜２５０ｍｍ、下流側で数十ｍｍに設定されている。
【００３４】
第２交差側ロープの高さは、篩の目開きのサイズの粒径物が網との衝撃で飛び跳ねる高さに設定されていることが好ましく、高くすれば分散効果が高まり分級精度が上がるが篩目よりも大きなサイズの粒子が篩面上から篩面外部に排出され難くなり、低くすれば分級処理時間は短くなるが分級精度が低下するので、目標とする分級精度及び処理時間に応じて設定すればよい。
【００３５】
つまり、第２交差側ロープは凝集した分級対象物と篩、及び／または、凝集した分級対象物同士による接触または衝突頻度の上昇により凝集前の状態に分散させる機能を備えている。
【００３６】
[スクリーン機構の構成]
図３には、水砕スラグの搬送方向上流側から下流側を眺めたスクリーン機構１３の中央部から左側の一部が示され、水砕スラグの搬送方向が破線矢印Ｄで示されている。スクリーン機構１３は、水砕スラグの搬送方向と交差する方向に配された複数本の交差側ロープ１４Ａと、水砕スラグの搬送方向に沿う方向に配された複数本の流れ側ロープ１４Ｂとで篩面１４が形成されるように構成されている。
【００３７】
なお、流れ側ロープ１４Ｂは篩面上で水砕スラグの搬送方向に沿う方向に配されていればよく、厳密な意味で水砕スラグの搬送方向と平面視で平行姿勢を保つ必要はない。搬送方向に対して平面視で多少の角度を有していてもよい。また、交差側ロープ１４Ａは篩面上で水砕スラグの搬送方向と直交する姿勢で配されていることが好ましいが、直交していなくても、搬送方向と交差する姿勢で配されていればよい。つまり、対象物を分級可能な目開きが確保されていれば、どのような姿勢で配されていてもよい。
【００３８】
交差側ロープ１４Ａは鋼材で構成された芯材Ｃにウレタン樹脂Ｒが被覆されて構成され（図４（ａ）参照）、交差側ロープ１４Ａそれぞれの左右両端で芯材Ｃが左右のスクリーンフック２１に固定されている。さらに左右のスクリーンフック２１がクランピングバー２２に係止され、クランピングバー２２がクランピングボルト２３を介して左右のサイドプレート２０に固定されている。クランピングボルト２３の締付加減により交差側ロープ１４Ａの張力が調整される。図３中、符号２４で示す部材は、クランピングボルト２３の締付によるクランピングバー２２の上方への移動を抑制するストッパー部材である。
【００３９】
流れ側ロープ１４Ｂは芯材を備えることなくウレタン樹脂Ｒのみで構成され、交差側ロープ１４Ａの下側に位置するように、流れ側ロープ１４Ｂの頂部と交差側ロープ１４Ａの下部が交差部で溶着固定されている。なお、流れ側ロープ１４Ｂと交差側ロープ１４Ａは少なくとも一部で溶着固定されていればよく、全ての交差部で溶着される必要はない。
【００４０】
交差側ロープ１４Ａは、水砕スラグＰの重量によって下方に撓むことがないように、中央部に備えた上下一対の中間押え板２５により中間ゴム板２６を介して上下から挟持されるとともに、中央部から左右側壁に到る間に備えた複数のサポートフレーム２７及びサポートフレーム２７に備えたクッション材２８よって支持されている。
【００４１】
交差側ロープ１４Ａは、流れ側ロープ１４Ｂの頂部包絡面を基準とする交差側ロープ１４Ａの頂部までの高さ、つまり交差側ロープ１４Ａの上下方向高さが第１高さ（Ｈ１）の第１交差側ロープ１４Ａ１と、第１高さ（Ｈ１）より高い第２高さ（Ｈ２）の第２交差側ロープ１４Ａ２を備えて構成され、第２交差側ロープ１４Ａ２が上述した堰１として機能するように構成されている。第２交差側ロープ１４Ａ２が複数本設置される場合は、分級対象物の搬送方向に沿って第２交差側ロープ１４Ａ２が第１交差側ロープ１４Ａ１の間に分散配置される（図４（ａ）参照）。
【００４２】
少なくとも第２交差側ロープ１４Ａ２が上述した堰１として良好に機能するように、第２高さ（Ｈ２）が分級対象物の分級平均径以上に設定されている。第２交差側ロープ１４Ａ２は、第１交差側ロープ１４Ａ１と同様に鋼材で構成された芯材Ｃの左右端部がスクリーンフック２１に固定され、篩面１４に一体形成されている。そのため、スクリーン機構１３の篩面１４に別部材となる堰１を設置する必要が無く、スクリーンフック２１によって強固に固定されるようになる。
【００４３】
第２交差側ロープ１４Ａ２が第１交差側ロープ１４Ａ１より高さの高い堰１として機能するようになり、振動篩装置に大量の水砕スラグが投入され、第１交差側ロープ１４Ａ１と流れ側ロープ１４Ｂで構成される篩面１４を滑るように走るような場合でも、第２交差側ロープ１４Ａ２による堰効果で効率的に分級できるようになる。
【００４４】
図４（ｂ）に示すように、分級対象物である水砕スラグの搬送方向Ｄに沿って下流側ほど第２交差側ロープ１４Ａ２間の間隔Ｌが短くなるように設定されていることが好ましく、さらに、水砕スラグの搬送方向に沿って下流側ほど第２交差側ロープ１４Ａ２の第２高さ（Ｈ２）が低くなるように設定されていることが好ましい。
【００４５】
上流側から下流側に搬送されるに連れて分級処理が進み、下流側ほど水砕スラグの容積が少なくなる。そこで、水砕スラグの搬送方向に沿って下流側ほど第２交差側ロープ間の間隔が短くなるように第２交差側ロープを配置すれば、搬送方向長さが短い篩面であっても、篩面全体を有効に利用して効率的に分級することができ、装置の小型化が可能になる。
【００４６】
また、分級が進んで水砕スラグの塊状のサイズが小さくなる下流側で、第２交差側ロープ１４Ａ２の高さが上流側の第２交差側ロープ１４Ａ２の高さと同じであると、水砕スラグが飛び跳ねて第２交差側ロープ１４Ａ２の下流側へ搬送される効率が低下する虞があるが、水砕スラグの搬送方向に沿って下流側ほど第２高さ（Ｈ２）が低くなるように設定されていれば、上流側から下流側にかけて搬送面全域で効率的に分級できるようになる。
【００４７】
さらに、第１交差側ロープ１４Ａ１の第１高さ（Ｈ１）が分級対象物の分級平均径以上に設定されていると、第１交差側ロープ１４Ａ１をも堰１として機能させることができ、より効率的に分級処理が進むようになる。
【００４８】
つまり、流れ側ロープ１４Ｂの上側に交差側ロープ１４Ａが配置されることにより、水砕スラグの搬送方向に対向するように配置された交差側ロープ１４Ａが水砕スラグを一時滞留させる堰１として機能し、凝集した水砕スラグと交差側ロープ１４Ａ、及び／または、凝集した水砕スラグＰ同士による接触または衝突により凝集前の状態に分散させて対応する篩面から効率的に分級落下させることができるようになる。
【００４９】
要約すれば、第２交差側ロープ１４Ａ２の第２高さ（Ｈ２）が一定で水砕スラグの搬送方向Ｄに沿って下流側ほど第２交差側ロープ１４Ａ２間の間隔Ｌが短くなる態様、水砕スラグの搬送方向Ｄに沿って第２交差側ロープ１４Ａ２間の間隔Ｌが一定で水砕スラグの搬送方向に沿って下流側ほど第２交差側ロープ１４Ａ２の第２高さ（Ｈ２）が低くなる態様、水砕スラグの搬送方向Ｄに沿って下流側ほど第２交差側ロープ１４Ａ２間の間隔Ｌが短くなるとともに下流側ほど第２交差側ロープ１４Ａ２の第２高さ（Ｈ２）が低くなる態様の何れかを採用することができる。なお、分級対象物の搬送方向Ｄに沿って、第２交差側ロープ１４Ａ２の第２高さ（Ｈ２）が一定で、且つ、第２交差側ロープ１４Ａ２間の間隔Ｌが一定に設定される構成が基本構成となる。
【００５０】
この様な交差側ロープ１４Ａと流れ側ロープ１４Ｂにより篩面が形成されていると、加振機構１８により加振されても安定した振動状態が実現でき、小型で耐久性のある振動篩装置が実現できる。
【００５１】
交差側ロープ１４Ａ１と流れ側ロープ１４Ｂの断面形状は円形であり、その径は約２．６ｍｍ〜３．０ｍｍに設定され、篩面の目開きは約６ｍｍに設定されている。即ち、水砕スラグの搬送方向に沿って交差側ロープ１４Ａのピッチは８．６〜９．０ｍｍに設定され、１００〜２５０ｍｍ間隔で第２交差側ロープ１４Ａ２が配置されている。
【００５２】
即ち、スクリーン機構１３は、水砕スラグの搬送方向と交差する方向に配された複数本の交差側ロープ１４Ａと、水砕スラグの搬送方向に沿う方向に配された複数本の流れ側ロープ１４Ｂとで篩面１４が形成されるように構成され、交差側ロープ１４Ａの少なくとも一部が水砕スラグを一時滞留させる堰１として機能するように構成されている。
【００５３】
なお、本実施形態では、第２交差側ロープ１４Ａ２は、流れ側ロープ１４Ｂと交差する篩面の幅方向全域で流れ側ロープ１４Ｂの上側に配される例を説明しているが、適切に分級処理が行なわれる場合には、幅方向に沿う一部で流れ側ロープ１４Ｂの上側に配される態様であってもよい。例えば分級対象物の搬送方向に沿って上流側及び下流側に配置される２本の第２交差側ロープ１４Ａ２のうち、上流側の第２交差側ロープ１４Ａ２が幅方向中央部から何れか一方側でのみ流れ側ロープ１４Ｂの上側に配され、下流側の第２交差側ロープ１４Ａ２が幅方向中央部から他方側でのみ流れ側ロープ１４Ｂの上側に配されるような構成が、分級対象物の搬送方向に沿って繰り返されるような構成であってもよい。
【００５４】
[スクリーン機構の具体的な構成]
以下に堰１として機能する交差側ロープが配されたスクリーン機構１４の具体的な構成を説明する。
図４（ａ）には、流れ側ロープ１４Ｂと第１交差側ロープ１４Ａ１及び第２交差側ロープ１４Ａ２で構成され、第２交差側ロープ１４Ａ２が堰１として機能するように、第２交差側ロープ１４Ａ２の第２高さ（Ｈ２）が分級対象物の分級平均径以上に設定されたスクリーン機構１４が示されている。
【００５５】
図４（ａ）に示す態様で、水砕スラグの荷重を受ける流れ側ロープ１４Ｂが、交差部で溶着された交差側ロープ１４Ａ１，１４Ａ２から離脱して下方に垂れ下がり、分級不能な状態に到る虞がある場合に備えて、図５（ａ）に示すように、流れ側ロープ１４Ｂの上側に配した第１交差側ロープ１４Ａ１Ｕ及び第２交差側ロープ１４Ａ２Ｕの対応する位置で、流れ側ロープ１４Ｂの下側に第１交差側ロープ１４Ａ１Ｄを設けてそれぞれ流れ側ロープ１４Ｂに融着固定してもよい。
【００５６】
このとき、流れ側ロープ１４Ｂの下側に備えた第１交差側ロープ１４Ａ１Ｄを、鋼材で構成された芯材Ｃにウレタン樹脂Ｒが被覆されたロープで構成し、流れ側ロープ１４Ｂの上方に備えた第２交差側ロープ１４Ａ２Ｕを、芯材Ｃを備えずにウレタン樹脂Ｒのみで構成してもよい。また、上方の第２交差側ロープ１４Ａ２Ｕと下方の第１交差側ロープ１４Ａ１Ｄを、芯材Ｃを備えたロープとウレタン樹脂Ｒのみのロープを交互に配し、芯材Ｃを備えた上下のロープが水砕スラグの搬送方向に沿って隣接するように設置してもよい。なお、本明細書では、流れ側ロープ１４Ｂと交差する方向に配されたロープ１４Ａ１Ｄ，１４Ａ１Ｕの双方を第１交差側ロープと称する。
【００５７】
図５（ｂ）に示すように、流れ側ロープ１４Ｂの下側に備えた第１交差側ロープ１４Ａ１Ｄと、流れ側ロープ１４Ｂの上側に備えた第１交差側ロープ１４Ａ１Ｕの双方に、鋼材で構成された芯材Ｃにウレタン樹脂Ｒが被覆されたロープを採用し、水砕スラグの搬送方向に沿って交互に設置される千鳥配置としてもよい。流れ側ロープ１４Ｂが第１交差側ロープ１４Ａ１Ｕ，１４Ａ１Ｄで挟まれるため、融着固定部に作用する応力が分散できるようになり、より強固に固定することができる。
【００５８】
なお、流れ側ロープ１４Ｂを挟んで上下に第１交差側ロープ１４Ａ１Ｕ，１４Ａ１Ｄが千鳥配置される場合に、第１交差側ロープ１４Ａ１Ｕ，１４Ａ１Ｄを同じ高さで一列にスクリーンフック２１に固定すると、流れ側ロープ１４Ｂに無用の力が掛かって上下に撓む虞があるため、スクリーンフック２１への固定部も上下方向に千鳥配置とすることが好ましい。その結果、流れ側ロープ１４Ｂが上下に撓むことがなくなり、堰として機能する第２交差側ロープ１４Ａ２Ｕの上下高さを安定的に維持することができる。
【００５９】
さらに、図５（ｃ）に示すように、短冊状の流れ側ロープ１４Ｂが梁１として機能する第２交差側ロープ１４Ａ２Ｕに融着されるように、構成されていてもよい。
【００６０】
以上説明した図４（ａ），（ｂ）、図５（ａ）〜（ｃ）では、鋼材で構成された芯材Ｃが黒丸で示され、流れ側ロープ１４Ｂと交差側ロープ１４Ａとの融着部が黒太線で示されている。
【００６１】
即ち、流れ側ロープの下方であって、交差側ロープの何れかに対応する位置に流れ側ロープの支持用交差側ロープが配置されていることが好ましく、交差側ロープの下部に固定された流れ側ロープが、分級対象物の重みなどで交差側ロープから離脱するような場合でも、支持用交差側ロープによって支持状態が維持できるので、耐久性能が向上する。
【００６２】
また、流れ側ロープの下方であって、交差側ロープの何れかの間隙に対応する位置に流れ側ロープの支持用交差側ロープが配置されていることが好ましく、交差側ロープの下部に固定された流れ側ロープが、分級対象物の重みなどで交差側ロープから離脱するような場合でも、支持用交差側ロープによって支持状態が維持できるので、耐久性能が向上する。流れ側ロープと、流れ側ロープの上方に配置される交差側ロープと、下方に配置される支持用交差側ロープとによって篩面が構成されるので、堰として機能する交差側ロープの本数が調整可能となり、各交差側ロープの上流側に滞留する分級対象物の量を適切に調整することができるようになる。
【００６３】
要するに、流れ側ロープ１４Ｂの下方に支持用交差側ロープ１４Ａ１Ｄが配置されていることが好ましい。支持用交差側ロープ１４Ａ１Ｄは、鋼材で構成された芯材Ｃにウレタン樹脂Ｒが被覆されて構成され、支持用交差側ロープ１４Ａ１Ｄそれぞれの左右両端で芯材Ｃが左右のスクリーンフック２１に固定されるように構成することができる。この場合には、交差側ロープ１４Ａ１に鋼材で構成された芯材Ｃを設ける必要はなく、芯材Ｃの両端を左右のスクリーンフック２１に固定する必要はない。
【００６４】
以上説明したように、本発明によるスクリーン機構１３は、分級対象物の搬送方向と交差する方向に配された複数本の交差側ロープ１４Ａと、交差側ロープ１４Ａと平面視で交差するように配置され交差側ロープ１４Ａとの間で所定の目開きの篩面を構成する複数本の流れ側ロープ１４Ｂとを備え、交差側ロープ１４Ａの少なくとも１本が分級対象物を一時滞留させる堰として機能するように流れ側ロープの上側に配されていればよい。
【００６５】
図３に示す篩面１４と底板２９との間の空間に、ゴムなどの弾性部材で構成されるボール３０を複数投入し、加振機構１８により振動する底板２９からの力を受けて上下に弾むボール３０により篩面１４を打撃して篩面１４の目詰まりを除去するようにクリーニング機構を備えることが好ましい。
【００６６】
分級対象物である水分を含む細粒が篩面の開口に付着し易いという傾向があっても、クリーニング機構により篩面の目詰まりが解消されるので、連続的に篩処理を行なうことができるようになる。
【００６７】
上述した実施形態では、流れ側ロープ１４Ｂ及び第１交差側ロープ１４Ａ１の断面形状が円形である例を説明したが、流れ側ロープ１４Ｂ及び第１交差側ロープ１４Ａ１の形状は円形に限定されるものではなく平坦な矩形であってもよいし、楕円形状であってもよい。
【００６８】
上述した実施形態では、第２交差側ロープ１４Ａ２の断面形状が先端が丸いコーン上である例を説明したが、第２交差側ロープ１４Ａ２の断面形状もこのような形状に限定されるものではなく三角形状、楕円形状、矩形形状など適宜設定可能であることはいうまでもない。
【００６９】
以上、説明した通り、本発明による振動篩方法は、所定の目開きの篩面が形成されたスクリーン機構を振動させて、投入された分級対象物を搬送しながら分級する振動篩方法であって、分級対象物の搬送方向と交差する方向に配され、複数本の交差側ロープと、分級対象物の搬送方向に沿う方向に配され、前記交差側ロープの下側で前記交差側ロープに固定された複数本の流れ側ロープとを備えた篩面を構成し、前記篩面の上流側から分級対象物を投入し、前記交差側ロープで一時滞留させながら分級し、前記交差側ロープを飛び越えた分級対象物を次の交差側ロープで一時滞留させながら分級する処理を繰り返すことにより、付着水によって凝集性または付着性、若しくは、その双方の性質を併せ持つ性状の分級対象物を分級するように構成されている。
【００７０】
上述の実施形態で説明した各部の具体的構成は例示に過ぎず、本発明による作用効果を奏する範囲において、その形状、寸法、材料等は適宜変更設計可能であることはいうまでもない。
【符号の説明】
【００７１】
１：堰
２：ガイド部材
１０：振動篩装置
１３：スクリーン機構
１４：篩面
１４Ａ：交差側ロープ
１４Ａ１：第１交差側ロープ
１４Ａ２：第２交差側ロープ
１４Ｂ：流れ側ロープ
１６：第一回収部
１７：第二回収部
１８：加振機構
Ｃ：芯材
Ｐ：分級対象物
Ｒ：ウレタン樹脂
Ｓ：スクリーン
【図１】
2020065948.tif 000003
【図２】
2020065948.tif 000004
【図３】
2020065948.tif 000005
【図４】
2020065948.tif 000006
【図５】
2020065948.tif 000007